(57)【特許請求の範囲】
【請求項１】
ＦＭ放送波と、ＦＭモジュレータからの電波とを受信可能な受信機において、
Ｓメータ信号の出力に基づいて少なくともステレオ分離度を自動的に変化させるステレオ分離度制御手段と、
前記ＦＭモジュレータからの電波を受信可能な状態にあるか否かを判定する手段とを備え、
前記ＦＭモジュレータからの電波を受信を可能な状態であることが判定された場合、前記ステレオ分離度の自動変化を阻止する規制手段を設けたことを特徴とする受信機。
【請求項２】
前記ＦＭモジュレータからの電波を受信可能な状態は、ＦＭモジュレータのオンに伴い制御されるスイッチがオンされている状態であることを特徴とする請求項１に記載の受信機。
【請求項３】
前記ＦＭモジュレータからの電波を受信可能な状態は、受信周波数がＦＭモジュレータの出力周波数と同一周波数であることを特徴とする請求項１に記載の受信機。
【発明の詳細な説明】
【０００１】
【産業上の利用分野】
本発明は、例えば、自動車用ＦＭ受信機において手軽にＣＤシステムを実現することができるＦＭモジュレータ等の受信機に関するものである。
【０００２】
【従来の技術】
従来から、図３に示すように、アンテナ１、フロントエンド２、ＦＭ−ＩＦアンプ検波回路３、ノイズキャンセラー４、マルチパス低減回路５、オーディオ周波数回路６等を有する受信機７が一般的に知られている。
【０００３】
ノイズキャンセラー４とは、検波出力に含まれる高周波ノイズを検出して検波出力に設けたゲートを開閉する機能で、例えば、車両から発生するノイズの除去に効果を奏する。
【０００４】
マルチパス低減回路５とは、地形の変化等に影響して電界強度が大幅に変化し易いＦＭ放送波において、フロントエンド２から出力されたＳメータ信号に重畳されるノイズ分を検出してこのノイズ分に応じてステレオ分離度（セパレーション）をコントロールする機能である。
【０００５】
一般的なコントロールとしては、コントロール電圧の出力のＡＭ成分を検出してＤＣ電圧に変換し、変換されたＤＣ電圧をモニタして入力が所定電圧以上であれば飽和し、入力が所定電圧以下であれば電圧が徐々に低下するため、この低下に伴ってＡＳＣ回路（図示せず）を動作させることにより、ハイカットコントロール電圧とステレオコントロール電圧とが低下してステレオ信号のハイカット分が増大すると共にセパレーションが低下してノイズが低減される。
【０００６】
【発明が解決しようとする課題】
ところで、上記の如く構成された受信機７にあっては、モジュレータの変調度はソース（音源）側の音声レベルに応じて変化するため、変調度が上がるとＳメータ信号に変調分が重畳されてしまう。
【０００７】
これは、Ｓメータ信号はＩＦ信号を検波・整流することにより作られるため、変調度が上がると十分な整流を行うことができず、結果的にＳメータ信号に変調分が出力されてしまうことに起因する。
【０００８】
また、検波出力においても高域成分が現れるが、これは、変調度が上がると占有帯域が広がる反面、ラジオの帯域はその占有帯域をカバーする程の広さを有していないためで、これにより発生した歪みの高周波が原因となっている。
【０００９】
従って、ＦＭラジオ本来の目的以外の時にマルチパス低減回路４やノイズキャンセラー５が動作すると、例えば、マルチパス低減回路４が動作するとセパレーションが低下してしまい、ノイズキャンセラー５が動作すると歪みが増加してしまい、音質の劣化を引き起こす要因となるという問題があった。
【００１０】
本発明は、上記事情に鑑みなされたものであって、ＦＭモジュレータを使用している際にモジュレータの変調度が上がった場合でも音質の劣化を防止してＨＩ−ＦＩで再生することができる受信機を提供することを目的とする。
【００１１】
【課題を解決するための手段】
その目的を達成するため、請求項１に記載の発明は、ＦＭ放送波と、ＦＭモジュレータからの電波とを受信可能な受信機において、Ｓメータ信号の出力に基づいて少なくともステレオ分離度を自動的に変化させるステレオ分離度制御手段と、前記ＦＭモジュレータからの電波を受信可能な状態にあるか否かを判定する手段とを備え、前記ＦＭモジュレータからの電波を受信を可能な状態であることが判定された場合、前記ステレオ分離度の自動変化を阻止する規制手段を設けたことを要旨とする。
【００１２】
【作用】
このような請求項１に記載の構成においては、Ｓメータ信号の出力に基づいて少なくともステレオ分離度を自動的に変化させる際、ＦＭモジュレータの聴取を可能とした状況ではステレオ分離度の自動変化が規制手段により阻止される。
【００１３】
【実施例】
次に、本発明の受信機の実施例を図面に基づいて説明する。
【００１４】
図１において、アンテナ１１からのＦＭ放送波は、フロントエンド１２、ＦＭ−ＩＦアンプ検波回路、ノイズキャンセラー、マルチパス低減回路、ＡＳＣ回路等を有する制御部１３、オーディオ周波数回路１４を経てスピーカＬ，Ｒから音声出力される。
【００１５】
制御部１３には、セパレーションコントロール回路１５、ノイズキャンセル回路１６、ステレオ分離度規制回路１７が接続されている。
【００１６】
セパレーションコントロール回路１５は、制御部１３のポートＰ１とポートＰ２との間に、抵抗Ｒ１と、コンデンサＣ１，抵抗Ｒ２とを並列に設けた平滑回路からなり、ポートＰ１から出力されたコントロール電圧の出力のＡＭ成分を検出してＤＣ電圧に変換し、変換されたＤＣ電圧をモニタして入力が所定電圧以上であればコンデンサＣ２内の充電電圧がトランジスタＱ１を介して放電し、入力が所定電圧以下であれば電圧が徐々に低下するため、この低下に伴って制御部１３内のＡＳＣ回路を動作させることにより、ハイカットコントロール電圧とステレオコントロール電圧とが低下してステレオ信号のハイカット分が増大すると共にセパレーションが低下してノイズが低減される。
【００１７】
ノイズキャンセル回路１６は、コンデンサＣ３と抵抗Ｒ３との並列回路からなり、検波出力に含まれる高周波ノイズを検出して検波出力に設けたゲートを開閉する。
【００１８】
ステレオ分離度規制回路１７は、モジュレータのオンに伴いオンになるスイッチＳ１、抵抗Ｒ４，Ｒ５、トランジスタＱ１，Ｑ２を備え、トランジスタＱ１のコレクタはコンデンサＣ２と接続され、トランジスタＱ２のコレクタはノイズキャンセル回路１６と接続されている。
【００１９】
スイッチＳ１には、ＦＭ放送波を受信している時にハイとなる回路（図示せず）からの信号が入力されている。スイッチＳ１がオンすると、抵抗Ｒ４，Ｒ５を経てトランジスタＱ１，Ｑ２がオンする。
【００２０】
トランジスタＱ１がオンすると、制御部１３のポートＰ１からの入力のノイズ分がコンデンサＣ２を経由して放電され、これにより制御部１３内のマルチパス低減回路が動作しなくなる。
【００２１】
トランジスタＱ２がオンすると、制御部１３のポートＰ３の電位が０Ｖ（零ボルト）となり、ノイズキャンセルゲートコントロール用のパルスが発生しなくなり、ノイズキャンセラーが動作を停止する。
【００２２】
従って、Ｓメータ信号の出力に基づいて少なくともステレオ分離度を自動的に変化させる際、ＦＭモジュレータの聴取を可能とした状況ではスイッチＳ１がオンするためにステレオ分離度の自動変化が阻止されることとなる。
【００２３】
ところで、ＦＭモジュレータは、一般的には、発振周波数が８８．３ＭＨｚ又は８８．７ＭＨｚに固定されているため、ＦＭモジュレータ使用時にはラジオをその周波数に選局することが必要な操作とされる。
【００２４】
一方、現行のラジオはＰＬＬシンセサイザー方式がそのほとんどであるため、８８．３ＭＨｚ又は８８．７ＭＨｚを受信したらば制御部１３から信号を出力させて、その出力信号を用いてマルチパス低減回路やノイズキャンセラーをオフすることで、スイッチＳ１を廃止することもできる。
【００２５】
例えば、制御部１３の基準発振周波数を５０ＫＨｚとすると、
８８．３ＭＨｚを受信している際、そのその局部発振周波数は７７．６ＭＨｚとなり、Ｎ値は、７７．６ＭＨｚ÷５０ＫＨｚ＝１５５２となり、
８８．７ＭＨｚを受信している際、その局部発振周波数は７８ＭＨｚとなり、Ｎ値は、７８ＭＨｚ÷５０ＫＨｚ＝１５６０となる。
【００２６】
そして、図２に示すように、このＮ値を認識してＰＬＬ回路がロックしたらば制御部１３に別途設けたポートからハイを出力させ、このハイの出力を図１に示したトランジスタＱ１，Ｑ２に接続させることによりマルチパス低減回路やノイズキャンセラーをオフすることができる。
【００２７】
【発明の効果】
以上説明したように、本発明の受信機にあっては、ＦＭモジュレータからの電波を受信可能な状態に基づいてステレオ分離度に自動変化を阻止する規制手段を設けたことにより、ＦＭモジュレータを使用している際にモジュレータの変調度が上がった場合でも音質の劣化を防止してＨＩ−ＦＩで再生することができる。
【図面の簡単な説明】
【図１】本発明の受信機を示し、要部の説明図である。
【図２】本発明の他の受信機を示し、その動作を説明するフローチャートである。
【図３】従来の受信機を示し、要部の説明図である。
【符号の説明】
１７…ステレオ分離度規制回路（規制手段）
【図１】
0003645927.tif 000002
【図２】
0003645927.tif 000003
【図３】
0003645927.tif 000004